(57)【特許請求の範囲】
【請求項１】
電源から電力を供給するための複数の経路上に設けた固定接点と、可動接点とによって前記複数の経路を接続状態、あるいは分断状態に切り替える電源スイッチにおいて、
前記複数の経路のうちの少なくとも一つが電力を蓄電する蓄電部に接続する蓄電経路である場合、
前記固定接点は、
前記電源に繋がる電源側固定接点と、前記蓄電部に繋がる蓄電部側固定接点と、前記蓄電経路とは別の前記経路に繋がる別の経路側固定接点と、をそれぞれ分離独立して設け、  当該電源スイッチを分断状態に切り替えた場合、前記蓄電経路と、前記別の経路とが互いに分断し、前記蓄電部から前記別の経路へ流れる電流を遮断し、
前記電源側固定接点は、
前記蓄電経路と、前記別の経路との分岐点よりも下流側に設ける場合、
前記蓄電経路上に設けた第一電源側固定接点と、前記別の経路上に設けた第二電源側固定接点と、
を有し、
前記可動接点は、
前記第一電源側固定接点と、前記蓄電部側固定接点とを接続状態、あるいは分断状態にする第一可動接点と、
前記第二電源側固定接点と、前記別の経路側固定接点とを接続状態、あるいは分断状態にする第二可動接点と、
を有し、
前記第一可動接点と、前記第二可動接点とは、
一つの当該電源スイッチに設ける
ことを特徴とする電源スイッチ。
【請求項２】
電源から電力を供給するための複数の経路上に設けた固定接点と、可動接点とによって前記複数の経路を接続状態、あるいは分断状態に切り替える電源スイッチにおいて、
前記複数の経路のうちの少なくとも一つが電力を蓄電する蓄電部に接続する蓄電経路である場合、
前記固定接点は、
前記電源に繋がる電源側固定接点と、前記蓄電部に繋がる蓄電部側固定接点と、前記蓄電経路とは別の前記経路に繋がる別の経路側固定接点と、をそれぞれ分離独立して設け、 当該電源スイッチを分断状態に切り替えた場合、前記蓄電経路と、前記別の経路とが互いに分断し、前記蓄電部から前記別の経路へ流れる電流を遮断し、
前記電源側固定接点と、前記蓄電部側固定接点と、前記別の経路側固定接点とは、
前記蓄電経路と前記別の経路との分岐点に集約して設け、
前記可動接点は、
一つの当該可動接点が前記電源側固定接点と、蓄電部側固定接点と、別の経路側固定接点とを接続状態、あるいは分断状態にする
ことを特徴とする電源スイッチ。
【請求項３】
前記電源側固定接点と、前記蓄電部側固定接点と、前記別の経路側固定接点とは、
直線状に整列配置し
前記可動接点は、
直線形状をなす
ことを特徴とする請求項２に記載の電源スイッチ。
【請求項４】
電源から電力を供給するための複数の経路を接続状態、あるいは分断状態に切り替える電源スイッチを有する給電回路において、
前記電源スイッチは、
請求項１、２、または３に記載の電源スイッチであることを特徴とする給電回路。
【請求項５】
電源からの電力を複数の電力供給先に分配する電気接続箱において、
請求項１、２、または３に記載の電源スイッチを組み込む
ことを特徴とする電気接続箱。
【請求項６】
電源からの電力を複数の電力供給先に分配する電気接続箱において、
請求項４に記載の給電回路を組み込む
ことを特徴とする電気接続箱。
【発明の詳細な説明】
【技術分野】
【０００１】
本発明は、電源から電力を供給するための複数の経路を接続状態、あるいは分断状態に切り替える電源スイッチ、該電源スイッチを有する給電回路および電気接続箱に関する。
【背景技術】
【０００２】
従来、自動車は、イグニッションスイッチをオフした停止状態であっても、時計等の機能を維持するため、バッテリ等の電源から微弱な電流、いわゆる暗電流を流す必要がある。このため、自動車は、例えば、輸出のように製造工場から販売店までの運搬に長期間を有する場合、暗電流によってバッテリが上がってしまうおそれがある。
【０００３】
このような暗電流に起因するバッテリ上がりを防止するため、自動車の自走に影響しないような時計等の電力供給先とバッテリとの間に設けたヒューズを抜き取ることによって暗電流を遮断する技術が提案されている。
【０００４】
例えば、特許文献１には、電源から電力を供給するための複数の経路を接続状態、あるいは分断状態に切り替える電源スイッチとして機能するヒューズホルダを備えたヒューズが記載されている。
【先行技術文献】
【特許文献】
【０００５】
【特許文献１】特開２０１３−２０８４９号公報
【発明の概要】
【発明が解決しようとする課題】
【０００６】
しかしながら、上述したような従来の電源スイッチでは、図１１に示すように、複数の経路Ｒ１、Ｒ２、Ｒ３の中にコンデンサ（Ｃｏｎｄｅｎｓａｒｅ）等の蓄電部Ｃに接続する経路Ｒ１がある場合、電源スイッチＳによって電源Ｂと、複数の経路Ｒ１、Ｒ２、Ｒ３との間の接続を分断したとしても、蓄電部Ｃから経路Ｒ１とは別の経路Ｒ２、Ｒ３に暗電流が流れてしまうという問題があった。
【０００７】
本発明は、上記に鑑みてなされたものであって、暗電流による電力損失を低減することができる電源スイッチ、給電回路および電気接続箱を提供することを目的とする。
【課題を解決するための手段】
【０００８】
上述した課題を解決し、目的を達成するために、本発明の請求項１に係る電源スイッチは、電源から電力を供給するための複数の経路上に設けた固定接点と、可動接点とによって前記複数の経路を接続状態、あるいは分断状態に切り替える電源スイッチにおいて、前記複数の経路のうちの少なくとも一つが電力を蓄電する蓄電部に接続する蓄電経路である場合、前記固定接点は、前記電源に繋がる電源側固定接点と、前記蓄電部に繋がる蓄電部側固定接点と、前記蓄電経路とは別の前記経路に繋がる別の経路側固定接点と、をそれぞれ分離独立して設け、当該電源スイッチを分断状態に切り替えた場合、前記蓄電経路と、前記別の経路とが互いに分断し、前記蓄電部から前記別の経路へ流れる電流を遮断し、前記電源側固定接点は、前記蓄電経路と、前記別の経路との分岐点よりも下流側に設ける場合、前記蓄電経路上に設けた第一電源側固定接点と、前記別の経路上に設けた第二電源側固定接点と、を有し、前記可動接点は、前記第一電源側固定接点と、前記蓄電部側固定接点とを接続状態、あるいは分断状態にする第一可動接点と、前記第二電源側固定接点と、前記別の経路側固定接点とを接続状態、あるいは分断状態にする第二可動接点と、を有し、前記第一可動接点と、前記第二可動接点とは、一つの当該電源スイッチに設けることを特徴とする。
【００１１】
また、上述した課題を解決し、目的を達成するために、本発明の請求項２に係る電源スイッチは、電源から電力を供給するための複数の経路上に設けた固定接点と、可動接点とによって前記複数の経路を接続状態、あるいは分断状態に切り替える電源スイッチにおいて、前記複数の経路のうちの少なくとも一つが電力を蓄電する蓄電部に接続する蓄電経路である場合、前記固定接点は、前記電源に繋がる電源側固定接点と、前記蓄電部に繋がる蓄電部側固定接点と、前記蓄電経路とは別の前記経路に繋がる別の経路側固定接点と、をそれぞれ分離独立して設け、当該電源スイッチを分断状態に切り替えた場合、前記蓄電経路と、前記別の経路とが互いに分断し、前記蓄電部から前記別の経路へ流れる電流を遮断し、前記電源側固定接点と、前記蓄電部側固定接点と、前記別の経路側固定接点とは、前記蓄電経路と前記別の経路との分岐点に集約して設け、前記可動接点は、一つの当該可動接点が前記電源側固定接点と、蓄電部側固定接点と、別の経路側固定接点とを接続状態、あるいは分断状態にすることを特徴とする。
【００１２】
また、本発明の請求項３に係る電源スイッチは、上記の発明において、前記電源側固定接点と、前記蓄電部側固定接点と、前記別の経路側固定接点とは、直線状に整列配置し前記可動接点は、直線形状をなすことを特徴とする。
【００１３】
上述した課題を解決し、目的を達成するために、本発明の請求項４に係る給電回路は、電源から電力を供給するための複数の経路を接続状態、あるいは分断状態に切り替える電源スイッチを有する給電回路において、前記電源スイッチは、請求項１、２、または３に記載の電源スイッチであることを特徴とする。
【００１４】
また、上述した課題を解決し、目的を達成するために、本発明の請求項５に係る電気接続箱は、電源からの電力を複数の電力供給先に分配する電気接続箱において、請求項１、２、または３に記載の電源スイッチを組み込むことを特徴とする。
【００１５】
また、上述した課題を解決し、目的を達成するために、本発明の請求項６に係る電気接続箱は、電源からの電力を複数の電力供給先に分配する電気接続箱において、請求項４に記載の給電回路を組み込むことを特徴とする。
【発明の効果】
【００１６】
本発明の請求項１に係る電源スイッチは、前記電源スイッチを分断状態に切り替えておくと、前記電源から前記複数の経路に流れる電流を遮断することができ、しかも、前記蓄電経路と、前記蓄電経路と別の経路とが互いに分断し、前記蓄電部から前記別の経路へ流れる電流を遮断することができるので、暗電流による電力損失を低減することができる。
【００１７】
本発明の請求項１に係る電源スイッチは、前記第一可動接点および前記第二可動接点を分断状態に切り替えておくと、前記電源から前記複数の経路に流れる電流を遮断することができ、しかも、前記蓄電経路と、前記蓄電経路と別の経路とが互いに分断し、前記蓄電部から前記別の経路へ流れる電流を遮断することができるので、暗電流による電力損失を低減することができる。
【００１８】
本発明の請求項１に係る電源スイッチは、前記第一可動接点と、前記第二可動接点とを一つの当該電源スイッチに設けることによって、一つ前記電源スイッチによって前記第一電源側固定接点と、前記蓄電部側固定接点と、前記第一可動接点とによって前記蓄電経路を接続状態、あるいは分断状態に切り替えること、および、前記第二電源側固定接点と、前記別の経路側固定接点と、前記第二可動接点とによって前記別の経路を接続状態、あるいは分断状態にすることを一括して行うことができるので、前記電源スイッチのスイッチ切り替え操作を容易に行うことができる。
【００１９】
本発明の請求項２に係る電源スイッチは、一つの前記電源スイッチで前記蓄電経路、および前記別の経路を一括して接続状態、あるいは分断状態にすることができるので、前記電源スイッチのスイッチ切り替え操作を容易に行うことができるとともに、前記電源側固定接点と、前記蓄電部側固定接点と、前記別の経路側固定接点とを集約することができるので、小型化することができる。
【００２０】
本発明の請求項３に係る電源スイッチは、前記電源側固定接点と、前記蓄電部側固定接点と、前記別の経路側固定接点とを直線状に整列配置することによって、前記可動接点を直線状にしてこれら３つの接点に接続することができるので、簡易な構成にすることができる。
【００２１】
本発明の請求項４に係る給電回路は、前記電源スイッチを分断状態に切り替えておくと、前記電源から前記複数の経路に流れる電流を遮断することができ、しかも、前記蓄電経路と、前記蓄電経路と別の経路とが互いに分断し、前記蓄電部から前記別の経路へ流れる電流を遮断することができるので、暗電流による電力損失を低減することができる。
【００２２】
本発明の請求項５に係る電気接続箱は、前記電源スイッチを組み込んでいるので、前記電源スイッチと同様の効果を奏することができる。
【００２３】
本発明の請求項６に係る電気接続箱は、前記給電回路を組み込んでいるので、前記給電回路と同様の効果を奏することができる。
【図面の簡単な説明】
【００２４】
【図１】図１は、本発明の実施例１に係る電源スイッチを有する給電回路の回路図、給電回路を組み込む電気接続箱、および、電力供給先を概略的に示した図である。
【図２】図２は、図１に示した電気接続箱の電源スイッチ周辺を拡大した斜視図であり、電源スイッチを接続状態にするように切り替えた図である。
【図３】図３は、第一可動接点を組み込んだスイッチ操作本体部の斜視図である。
【図４】図４は、図３に示したスイッチ操作本体部の断面図であり、電源側固定接点および蓄電部側固定接点を仮想線で示した図である。
【図５】図５は、図１に示した電気接続箱の電源スイッチ周辺を拡大した斜視図であり、電源スイッチを分断状態にするように切り替えた図である。
【図６】図６は、変形例の電気接続箱の電源スイッチ周辺を拡大した斜視図である。
【図７】図７は、本発明の実施例２に係る電源スイッチを有する給電回路の回路図、給電回路を組み込む電気接続箱、および、電力供給先を概略的に示した図である。
【図８】図８は、図７に示した電気接続箱の電源スイッチ周辺を拡大した斜視図であり、電源スイッチを接続状態にするように切り替えた図である。
【図９】図９は、可動接点を組み込んだスイッチ操作本体部の断面図であり、電源側固定接点および蓄電部側固定接点と、電力供給側固定接点と、を仮想線で示した図である。
【図１０】図１０は、図７に示した電気接続箱の電源スイッチ周辺を拡大した斜視図であり、電源スイッチを分断状態にするように切り替えた図である。
【図１１】図１１は、従来技術の問題点を説明するための図である。
【発明を実施するための形態】
【００２５】
以下、図面を参照して、本発明に係る電源スイッチ、給電回路および電気接続箱の好適な実施例を詳細に説明する。
【実施例１】
【００２６】
図１は、本発明の実施例１に係る電源スイッチ１０Ａ、１０Ｂを有する給電回路１の回路図、給電回路１を組み込む電気接続箱１００、および、電力供給先Ｄを概略的に示した図である。図２は、図１に示した電気接続箱１００の電源スイッチ１０Ａ周辺を拡大した斜視図であり、電源スイッチ１０Ａを接続状態にするように切り替えた図である。図３は、第一可動接点１２Ａを組み込んだスイッチ操作本体部１１の斜視図である。図４は、図３に示したスイッチ操作本体部１１の断面図であり、電源側固定接点Ｐ１および蓄電部側固定接点Ｐ２を仮想線で示した図である。図５は、図１に示した電気接続箱１００の電源スイッチ１０Ａ周辺を拡大した斜視図であり、電源スイッチ１０Ａを分断状態にするように切り替えた図である。
本発明の実施例１に係る給電回路１は、電源Ｂからの電力を複数の電力供給先Ｄに分配する電気接続箱１００に組み込む。この電気接続箱１００は、例えば、自動車に設置され、バッテリ等の電源Ｂから時計等の複数の電装品に電力を分配する。
【００２７】
給電回路１は、バッテリ等の電源Ｂから電力を供給するための複数の経路Ｒ１、Ｒ２を接続状態、あるいは分断状態に切り替える電源スイッチ１０を有する。（以下、経路Ｒ１、Ｒ２を電源スイッチ１０によって接続状態、あるいは分断状態に切り替えることを、単的に、「接続状態にする」、あるいは「分断状態にする」と表現する。）
【００２８】
この給電回路１は、電源Ｂから電力を供給するための複数の経路Ｒ１、Ｒ２を有し、複数の経路Ｒ１、Ｒ２のうちの一つは電力を蓄電する蓄電部Ｃに接続する蓄電経路Ｒ１になっている。なお、蓄電部Ｃは、コンデンサ等の蓄電器によって実現する。
【００２９】
一方、蓄電経路Ｒ１とは別の経路Ｒ２（以下、別の経路Ｒ２という。）は、時計等の各種電力供給先Ｄに繋がっている。
【００３０】
これら蓄電経路Ｒ１および別の経路Ｒ２は、電源Ｂから下流側の分岐点ＢＰで互いに分岐し、蓄電経路Ｒ１上に第一電源スイッチ１０Ａを設け、別の経路Ｒ２上に第二電源スイッチ１０Ｂを設けている。
【００３１】
蓄電経路Ｒ１には、第一電源スイッチ１０Ａの固定接点のうち、電源Ｂに繋がる接点となる第一電源側固定接点Ｐ１Ａと、蓄電部Ｃに繋がる接点となる蓄電部側固定接点Ｐ２と、を設けている。
【００３２】
別の経路Ｒ２は、二つの電力供給先Ｄに接続している。すなわち、別の経路Ｒ２は、第二電源スイッチ１０Ｂの下流側でさらに第一経路Ｒ３と、第二経路Ｒ４と、の二つの経路に分岐している。
【００３３】
この別の経路Ｒ２には、第二電源スイッチ１０Ｂの固定接点のうち、電源Ｂに繋がる接点となる第二電源側固定接点Ｐ１Ｂと、電力供給先Ｄに繋がる経路との接点となる別の経路側固定接点Ｐ３と、を設けている。
【００３４】
次に、電源スイッチとしての第一電源スイッチ１０Ａおよび第二電源スイッチ１０Ｂについてさらに詳細に説明する。
電源スイッチ１０Ａ、１０Ｂは、電源Ｂから電力を供給するための複数の経路Ｒ１、Ｒ２上に設けた固定接点Ｐ１Ａ、Ｐ１Ｂ、Ｐ２、Ｐ３と、可動接点１２Ａ、１２Ｂとによって複数の経路Ｒ１、Ｒ２を接続状態、あるいは分断状態に切り替える。
固定接点Ｐ１Ａ、Ｐ１Ｂ、Ｐ２、Ｐ３は、電源Ｂに繋がる第一電源側固定接点Ｐ１Ａ、および第二電源側固定接点Ｐ１Ｂと、蓄電部Ｃに繋がる蓄電部側固定接点Ｐ２と、蓄電経路Ｒ１とは別の経路Ｒ２に繋がる別の経路側固定接点Ｐ３と、をそれぞれ分離独立して設け、電源スイッチ１０Ａ、１０Ｂを分断状態に切り替えた場合、蓄電経路Ｒ１と、別の経路Ｒ２とが互いに分断し、蓄電部Ｃから別の経路Ｒ２へ流れる電流を遮断する。
【００３５】
可動接点１２Ａ、１２Ｂは、第一電源側固定接点Ｐ１Ａと、蓄電部側固定接点Ｐ２とを接続状態、あるいは分断状態にする第一可動接点１２Ａと、第二電源側固定接点Ｐ１Ｂと、別の経路側固定接点Ｐ３とを接続状態、あるいは分断状態にする第二可動接点１２Ｂと、を有する。
【００３６】
第一電源スイッチ１０Ａは、第一電源側固定接点Ｐ１Ａと、蓄電部側固定接点Ｐ２と、第一可動接点１２Ａとによって蓄電経路Ｒ１を接続状態、あるいは分断状態に切り替えるスイッチである。
この第一電源スイッチ１０Ａは、第一電源側固定接点Ｐ１Ａと、蓄電部側固定接点Ｐ２と、スイッチング操作部分の本体部を形成するスイッチ操作本体部１１と、スイッチ操作本体部１１内に設け、第一電源側固定接点Ｐ１Ａおよび蓄電部側固定接点Ｐ２に接続する部分となる第一可動接点１２Ａと、を有する。
【００３７】
スイッチ操作本体部１１は、合成樹脂等の絶縁材からなり、全体が略直方体状のブロック形状をなし、内部に第一可動接点１２Ａを電源側固定接点Ｐ１および蓄電部側固定接点Ｐ２に接続可能に保持している。
【００３８】
第一可動接点１２Ａは、バスバーと称される導電性の板状部材であり、図２に示すように、蓄電経路Ｒ１に直線状に整列配置した第一電源側固定接点Ｐ１Ａおよび蓄電部側固定接点Ｐ２の並び方向に幅方向を向けて後述するスイッチ保持部１１１内に配置されるようになっている。
【００３９】
スイッチ操作本体部１１は、電気接続箱１００の電気電子部品を収容する収容部１１０に設けたスイッチ保持部１１１によって保持されるようになっている。
【００４０】
スイッチ保持部１１１は、収容部１１０からフード状に突出した部分であり、突出先端にスイッチ操作本体部１１を挿入するための入口開口１１１ａを形成し、この入口開口１１１ａから内部に挿入したスイッチ操作本体部１１を、接続状態、および分断状態の両方の位置で保持するようになっている。
【００４１】
なお、第一電源側固定接点Ｐ１Ａおよび蓄電部側固定接点Ｐ２は、第一可動接点１２Ａとの接続部分となる挟持部Ｃ１を有する音叉状をなし、挟持部Ｃｌをスイッチ保持部１１１の入口開口１１１ａに向けて設けられている。
【００４２】
このような第一電源スイッチ１０Ａは、スイッチ操作本体部１１をスイッチ保持部１１１の内方に向けて押し込むと、第一可動接点１２Ａが第一電源側固定接点Ｐ１Ａおよび蓄電部側固定接点Ｐ２の挟持部Ｃ１によって挟持されることによって接続状態になる（図２参照）。すなわち、スイッチ操作本体部１１を押圧操作することによって第一電源スイッチ１０Ａを接続状態に切り替えたことになる。
【００４３】
一方、接続状態の第一電源スイッチ１０Ａのスイッチ操作本体部１１をスイッチ保持部１１１の外方にむけて引っ張ると、第一可動接点１２Ａが第一電源側固定接点Ｐ１Ａおよび蓄電部側固定接点Ｐ２から離脱することによって分断状態になる（図５参照）。すなわち、第一電源スイッチ１０Ａのスイッチ操作本体部１１を引っ張り操作することによって第一電源スイッチ１０Ａを分断状態に切り替えたことになる。
【００４４】
第二電源スイッチ１０Ｂは、第二電源側固定接点Ｐ１Ｂと、別の経路側固定接点Ｐ３と、第二可動接点１２Ｂとによって別の経路Ｒ２を接続状態、あるいは分断状態に切り替えるスイッチである。
なお、第二電源スイッチ１０Ｂは、第一電源スイッチ１０Ａと同様の構成であるため具体的な説明を省略する。
【００４５】
このような給電回路１は、例えば、自動車製造工場から販売店に届けられるまでの間に第一電源スイッチ１０Ａと、第二電源スイッチ１０Ｂとを分断状態に切り替えておく。これにより、蓄電経路Ｒ１と、別の経路Ｒ２とが互いに分断し、蓄電部Ｃから別の経路Ｒ２へ流れる電流を遮断する。
【００４６】
本発明の実施例１に係る電源スイッチ１０Ａ、１０Ｂは、分断状態に切り替えておくと、電源Ｂから複数の経路Ｒ１、Ｒ２に流れる電流を遮断することができ、しかも、蓄電経路Ｒ１と、別の経路Ｒ２とが互いに分断し、蓄電部Ｃから別の経路Ｒ２へ流れる電流を遮断することができるので、暗電流による電力損失を低減することができる。
【００４７】
また、本発明の実施例１に係る電源スイッチ１０Ａ、１０Ｂは、第一可動接点１２Ａおよび第二可動接点１２Ｂを分断状態に切り替えておくと、電源Ｂから複数の経路Ｒ１、Ｒ２に流れる電流を遮断することができ、しかも、蓄電経路Ｒ１と、別の経路Ｒ２とが互いに分断し、蓄電部Ｃから別の経路Ｒ２へ流れる電流を遮断することができるので、暗電流による電力損失を低減することができる。
【００４８】
また、本発明の実施例１に係る給電回路１は、電源スイッチとしての第一電源スイッチ１０Ａと、第二電源スイッチ１０Ｂとを分断状態に切り替えておくと、電源Ｂから複数の経路Ｒ１、Ｒ２に流れる電流を遮断することができ、しかも、蓄電経路Ｒ１と、別の経路Ｒ２とが互いに分断し、蓄電部Ｃから別の経路Ｒ２へ流れる電流を遮断することができるので、暗電流による電力損失を低減することができる。
【００４９】
また、本発明の実施例１に係る電気接続箱１００は、電源スイッチ１０Ａ、１０Ｂおよび給電回路１を組み込んでいるので、電源スイッチ１０Ａ、１０Ｂおよび給電回路１と同様の効果を奏することができる。
（変形例）
【００５０】
次に、図６を用いて本発明の実施例１に係る電源スイッチ１０Ａ、１０Ｂ、給電回路１および電気接続箱１００の変形例について説明する。
図６は、変形例の電気接続箱２００の電源スイッチ２０周辺を拡大した斜視図である。
この変形例に係る電源スイッチ２０、給電回路２および電気接続箱２００は、第一可動接点１２Ａと、第二可動接点１２Ｂとを一つの電源スイッチ２０に設けている点で実施例１の給電回路１および電気接続箱１００と異なる。
なお、その他の構成は実施例１と同様であり、実施例１と同一構成部分には同一符号を付している。
【００５１】
電源スイッチ２０は、一つのスイッチ操作本体部２１内に第一可動接点１２Ａと、第二可動接点１２Ｂとを設けている。
【００５２】
この変形例の電源スイッチ２０は、実施例１の電源スイッチ１０Ａ、１０Ｂと同様の効果を奏するとともに、二つの可動接点１２Ａ、１２Ｂを一つのスイッチ操作本体部２１内に設けることによって、一つ電源スイッチ２０によって第一電源側固定接点Ｐ１Ａと、蓄電部側固定接点Ｐ２と、第一可動接点１２Ａとによって蓄電経路Ｒ１を接続状態、あるいは分断状態に切り替えること、および、第二電源側固定接点Ｐ１Ｂと、別の経路側固定接点Ｐ３と、第二可動接点１２Ｂとによって別の経路Ｒ２を接続状態、あるいは分断状態にすることを一括して行うことができるので、電源スイッチ２０のスイッチ切り替え操作を容易に行うことができる。
【００５３】
この変形例の給電回路２は、実施例１の給電回路１と同様の効果を奏するとともに、二つの可動接点１２Ａ、１２Ｂを一つのスイッチ操作本体部２１内に設けることによって、一つ電源スイッチ２０によって第一電源側固定接点Ｐ１Ａと、蓄電部側固定接点Ｐ２と、第一可動接点１２Ａとによって蓄電経路Ｒ１を接続状態、あるいは分断状態に切り替えること、および、第二電源側固定接点Ｐ１Ｂと、別の経路側固定接点Ｐ３と、第二可動接点１２Ｂとによって別の経路Ｒ２を接続状態、あるいは分断状態にすることを一括して行うことができるので、電源スイッチ２０のスイッチ切り替え操作を容易に行うことができる。
【００５４】
なお、本発明の実施例１、および変形例に係る、電源スイッチ１０Ａ、１０Ｂ、２０、給電回路１、２および電気接続箱１００、２００は、可動接点１２Ａ、１２Ｂが導電性の板状部材であるものを例示したが、二つの接点間を電気的に接続、分断することができるものであればその他のものを用いも構わない。例えば、ヒューズを用いてもよい。
【実施例２】
【００５５】
次に、図７−図１０を用いて本発明の実施例２に係る電源スイッチ３０、給電回路３および電気接続箱３００について説明する。
図７は、本発明の実施例２に係る電源スイッチ３０を有する給電回路３の回路図、給電回路３を組み込む電気接続箱３００、および、電力供給先Ｄを概略的に示した図である。図８は、図７に示した電気接続箱３００の電源スイッチ３０周辺を拡大した斜視図であり、電源スイッチ３０を接続状態にするように切り替えた図である。図９は、可動接点１２を組み込んだスイッチ操作本体部３１の断面図であり、電源側固定接点Ｐ１および蓄電部側固定接点Ｐ２と、別の経路側固定接点Ｐ３と、を仮想線で示した図である。図１０は、図７に示した電気接続箱３００の電源スイッチ３０周辺を拡大した斜視図であり、電源スイッチ３０を分断状態にするように切り替えた図である。
本発明の実施例２に係る給電回路３および電気接続箱３００は、電源Ｂに繋がる固定接点を二つから一つに減らし、一つの電源スイッチ３０によって蓄電経路Ｒ１、および別の経路Ｒ２の接続状態あるいは分断状態の切り替えを一括して行うようしている点で実施例１の給電回路１、２および電気接続箱１００、２００と異なる。
なお、その他の構成は実施例１と同様であり、実施例１と同一構成部分には同一符号を付している。
【００５６】
給電回路３は、バッテリ等の電源Ｂから電力を供給するための複数の経路Ｒ１、Ｒ２を接続状態、あるいは分断状態に切り替える電源スイッチ３０を有する。
【００５７】
この給電回路３は、電源Ｂから電力を供給するための複数の経路Ｒ１、Ｒ２を有し、複数の経路Ｒ１、Ｒ２のうちの一つは電力を蓄電する蓄電部Ｃに接続する蓄電経路Ｒ１になっている。
より具体的には、給電回路３は、電源Ｂから下流側で電源スイッチ３０を介して蓄電経路Ｒ１と、蓄電経路Ｒ１とは別の経路Ｒ２（以下、別の経路Ｒ２という。）と、に分岐するようになっている。
【００５８】
蓄電経路Ｒ１には、電源スイッチ３０の固定接点のうち、蓄電部Ｃに繋がる接点となる蓄電部側固定接点Ｐ２を設けている。
【００５９】
一方、別の経路Ｒ２は、二つの電力供給先Ｄに接続している。すなわち、別の経路Ｒ２は、電源スイッチ３０の下流側でさらに第一経路Ｒ３と、第二経路Ｒ４と、の二つの経路に分岐している。
【００６０】
この別の経路Ｒ２には、電源スイッチ３０の固定接点のうち、電力供給先Ｄに繋がる経路との接点となる別の経路側固定接点Ｐ３を設けている。
【００６１】
次に、電源スイッチ３０についてさらに詳細に説明する。
電源スイッチ３０は、電源Ｂから電力を供給するための複数の経路Ｒ１、Ｒ２上に設けた固定接点Ｐ１、Ｐ２、Ｐ３と、可動接点１２とによって複数の経路Ｒ１、Ｒ２を接続状態、あるいは分断状態に切り替える。
固定接点Ｐ１、Ｐ２、Ｐ３は、電源Ｂに繋がる電源側固定接点Ｐ１と、蓄電部Ｃに繋がる蓄電部側固定接点Ｐ２と、蓄電経路Ｒ１とは別の経路Ｒ２に繋がる別の経路側固定接点Ｐ３と、をそれぞれ分離独立して設け、電源スイッチ３０を分断状態に切り替えた場合、蓄電経路Ｒ１と、別の経路Ｒ２とが互いに分断し、蓄電部Ｃから別の経路Ｒ２へ流れる電流を遮断する。
【００６２】
この電源スイッチ３０は、電源側固定接点Ｐ１と、蓄電部側固定接点Ｐ２と、別の経路側固定接点Ｐ３と、スイッチング操作部分の本体部を形成するスイッチ操作本体部３１と、スイッチ操作本体部３１内に設け、電源側固定接点Ｐ１、蓄電部側固定接点Ｐ２および別の経路側固定接点Ｐ３に接続する部分となる可動接点１２と、を有する。
【００６３】
電源側固定接点Ｐ１と、蓄電部側固定接点Ｐ２と、別の経路側固定接点Ｐ３とは、蓄電経路Ｒ１と別の経路Ｒ２との分岐点ＰＢに集約して設けている。
また、電源側固定接点Ｐ１と、蓄電部側固定接点Ｐ２と、別の経路側固定接点Ｐ３とは、直線状に整列配置している。
【００６４】
スイッチ操作本体部３１は、合成樹脂等の絶縁材からなり、全体が略直方体状のブロック形状をなし、内部に可動接点１２を電源側固定接点Ｐ１、蓄電部側固定接点Ｐ２および別の経路側固定接点Ｐ３に接続可能に保持している。
【００６５】
可動接点１２は、一つの可動接点１２が電源側固定接点Ｐ１と、蓄電部側固定接点Ｐ２と、別の経路側固定接点Ｐ３とを接続状態、あるいは分断状態にするようになっている。  この可動接点１２は、導電性の板状部材であり、図８に示すように、直線状に整列配置した電源側固定接点Ｐ１、蓄電部側固定接点Ｐ２、および別の経路側固定接点Ｐ３の並び方向に幅方向を向けてスイッチ保持部３１１内に配置されるようになっている。
このため、可動接点１２は、直線形状の簡易な構成で、電源側固定接点Ｐ１、蓄電部側固定接点Ｐ２、および別の経路側固定接点Ｐ３に、一括して接続、あるいは分断することができるようになっている。
【００６６】
スイッチ操作本体部３１は、電気接続箱３００の電気電子部品を収容する収容部３１０に設けたスイッチ保持部３１１によって保持されるようになっている。
【００６７】
スイッチ保持部３１１は、収容部３１０からフード状に突出した部分であり、突出先端にスイッチ操作本体部３１を挿入するための入口開口３１１ａを形成し、この入口開口３１１ａから内部に挿入したスイッチ操作本体部３１を接続状態、および分断状態の両方の位置で保持するようになっている。
【００６８】
なお、電源側固定接点Ｐ１、蓄電部側固定接点Ｐ２および別の経路側固定接点Ｐ３は、可動接点１２との接続部分となる挟持部Ｃ１を有する音叉状をなし、挟持部Ｃｌをスイッチ保持部３１１の入口開口３１１ａに向けて設けられている。
【００６９】
このような電源スイッチ３０は、スイッチ操作本体部３１をスイッチ保持部３１１の内方に向けて押し込むと、可動接点１２が電源側固定接点Ｐ１、蓄電部側固定接点Ｐ２、および別の経路側固定接点Ｐ３の挟持部Ｃ１によって挟持されることによって接続状態になる（図８参照）。すなわち、電源スイッチ３０を押圧操作することによって接続状態に切り替えたことになる。
【００７０】
一方、接続状態の電源スイッチ３０のスイッチ操作本体部３１をスイッチ保持部３１１の外方にむけて引っ張ると、可動接点１２が電源側固定接点Ｐ１、蓄電部側固定接点Ｐ２、および別の経路側固定接点Ｐ３から離脱することによって分断状態になる（図１０参照）。すなわち、電源スイッチ３０のスイッチ操作本体部３１を引っ張り操作することによって分断状態に切り替えたことになる。
【００７１】
このような給電回路３は、例えば、自動車製造工場から販売店に届けられるまでの間に電源スイッチ３０を分断状態に切り替えておく。これにより、蓄電経路Ｒ１と、別の経路Ｒ２とが互いに分断し、蓄電部Ｃから別の経路Ｒ２へ流れる電流を遮断する。
【００７２】
本発明の実施例２に係る電源スイッチ３０は、分断状態に切り替えておくと、電源Ｂから複数の経路Ｒ１、Ｒ２に流れる電流を遮断することができ、しかも、蓄電経路Ｒ１と、蓄電経路Ｒ１と別の経路Ｒ２とが互いに分断し、蓄電部Ｃから別の経路Ｒ２へ流れる電流を遮断することができるので、暗電流による電力損失を低減することができる。
【００７３】
また、本発明の実施例２に係る電源スイッチ３０は、一つの電源スイッチ３０で蓄電経路Ｒ１、および別の経路Ｒ２を一括して接続状態、あるいは分断状態にすることができるので、電源スイッチ３０のスイッチ切り替え操作を容易に行うことができるとともに、電源側固定接点Ｐ１と、蓄電部側固定接点Ｐ２と、別の経路側固定接点Ｐ３とを集約することができるので、小型化することができる。
【００７４】
また、本発明の実施例２に係る電源スイッチ３０は、電源側固定接点Ｐ１と、蓄電部側固定接点Ｐ２と、別の経路側固定接点Ｐ３とを直線状に整列配置することによって、可動接点１２を直線状にしてこれら３つの接点に接続することができるので、簡易な構成にすることができる。
【００７５】
また、本発明の実施例２に係る給電回路３は、電源スイッチ３０を分断状態に切り替えておくと、電源Ｂから複数の経路Ｒ１、Ｒ２に流れる電流を遮断することができ、しかも、蓄電経路Ｒ１と、別の経路Ｒ２とが互いに分断し、蓄電部Ｃから別の経路Ｒ２へ流れる電流を遮断することができるので、実施例１の給電回路１と同様に、暗電流による電力損失を低減することができる。
【００７６】
また、本発明の実施例２に係る電気接続箱３００は、電源スイッチ３０および給電回路３を組み込んでいるので、電源スイッチ３０および給電回路３と同様の効果を奏することができる。
【００７７】
なお、本発明の実施例２に係る電源スイッチ３０は、３つの固定接点Ｐ１、Ｐ２、Ｐ３を有するものを例示したが、これに限らず、固定接点の数は、分岐点ＰＢでの経路の分岐数によって適宜調整すればよく、３つ以上であっても構わない。
【００７８】
また、本発明の実施例１および実施例２に係る給電回路１、２、３は、複数の経路のうち一つの経路が蓄電経路Ｒ２である有するものを例示したが、複数の蓄電経路Ｒ２を有するものであっても構わない。
【００７９】
また、本発明の実施例１および実施例２に係る電源スイッチ１０、２０、３０、給電回路１、２、３は、電気接続箱１００、２００、３００に組み込まれるものを例示したが、これに限らず、その他のデバイスに組み込むものであっても構わない。
【００８０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００８１】
１、２、３        給電回路
１０、２０、３０  電源スイッチ
１０Ａ            第一電源スイッチ（電源スイッチ）
１０Ｂ            第二電源スイッチ（電源スイッチ）
１１、２１、３１  スイッチ操作本体部
１２              可動接点
１２Ａ            第一可動接点（可動接点）
１２Ｂ            第二可動接点（可動接点）
１００、２００、３００  電気接続箱
１１０、３１０    収容部
１１１、３１１  スイッチ保持部
１１１ａ、３１１ａ  入口開口
Ｂ                電源
Ｃ                蓄電部
Ｒ１              蓄電経路（経路）
Ｒ２              別の経路（経路）
Ｒ３              第一経路（経路）
Ｒ４              第二経路（経路）
Ｄ                電力供給先
Ｐ１              電源側固定接点（固定接点）
Ｐ１Ａ            第一電源側固定接点（固定接点）
Ｐ１Ｂ            第二電源側固定接点（固定接点）
Ｐ２              蓄電部側固定接点（固定接点）
Ｐ３              別の経路側固定接点（固定接点）
Ｃｌ              挟持部
ＰＢ              分岐点
【図１】
0006345999.tif 000002
【図２】
0006345999.tif 000003
【図３】
0006345999.tif 000004
【図４】
0006345999.tif 000005
【図５】
0006345999.tif 000006
【図６】
0006345999.tif 000007
【図７】
0006345999.tif 000008
【図８】
0006345999.tif 000009
【図９】
0006345999.tif 000010
【図１０】
0006345999.tif 000011
【図１１】
0006345999.tif 000012